(57)【要約】【課題】近距離通信を通じて速やかなデータ転送が可能な近距離通信装置を提供する。【解決手段】異種装置間のデータ転送を仲介する近距離通信装置であって、赤外線通信を実行する赤外線通信モジュール６０と、ブルートゥース仕様で規定された近距離無線通信を実行するブルートゥース通信モジュール７０と、を有し、赤外線通信機能を有する第１の装置とブルートゥース通信機能を有する第２の装置との間のデータの転送を仲介する。近距離通信装置５０が赤外線通信を通じてデータを取得した場所が危険場所であっても、その場所から危険場所の外に、ブルートゥース通信でデータを送信することができる。【選択図】図４
2017142094.tif 000002
【特許請求の範囲】
【請求項１】
異種装置間のデータ転送を仲介する近距離通信装置であって、
赤外線通信を実行する赤外線通信モジュールと、
ブルートゥース仕様で規定された近距離無線通信を実行するブルートゥース通信モジュールと、
を有し、赤外線通信機能を有する第１の装置とブルートゥース通信機能を有する第２の装置との間のデータの転送を仲介することを特徴とする近距離通信装置。
【請求項２】
請求項１に記載の近距離通信装置であって、さらに、赤外線通信機能を有する第３の装置と前記第１の装置との間のデータ転送、又は、ブルートゥース通信機能を有する第４の装置と前記第２の装置との間のデータ転送の仲介が可能であることを特徴とする近距離通信装置。
【請求項３】
請求項１に記載の近距離通信装置であって、前記第１の装置が秤であり、該秤との赤外線通信時に前記秤の側面に向き合う第１側面を有し、赤外線通信時に、前記秤の側面に設けられた赤外線ＬＥＤ及びフォトダイオードの各々と対向するフォトダイオード及び赤外線ＬＥＤが前記第１側面に設けられていることを特徴とする近距離通信装置。
【請求項４】
請求項１から３のいずれかに記載の近距離通信装置であって、防爆構造を有することを特徴とする近距離通信装置。
【請求項５】
請求項１から４のいずれかに記載の近距離通信装置であって、一方の装置から取得したデータを記憶する記憶部を備えることを特徴とする近距離通信装置。
【請求項６】
請求項１から５のいずれかに記載の近距離通信装置であって、データを取得する一方の装置から前記データのシリアル信号を受信し、前記データを転送する他方の装置に前記データのシリアル信号を送信することを特徴とする近距離通信装置。
【発明の詳細な説明】
【技術分野】
【０００１】
本発明は、例えば、秤の計量データをパーソナルコンピュータ（ＰＣ）に送る等、異種装置間でデータを転送する時に、データ転送を仲介する近距離通信装置に関する。
【背景技術】
【０００２】
爆発性雰囲気の生じる可能性がある場所（危険場所）で使用される電気機器は、厚生労働省が定めた防爆構造基準や国際基準に準拠した技術基準に適合していることが求められる。
下記特許文献１には、こうした危険場所で計量を行う防爆型の秤から、危険場所内で赤外線通信を通じて計量データを取得する防爆型のデータロガーが開示されている。計量データを取得したデータロガーは危険場所の外に持ち出され、赤外線通信を通じてＰＣ等に計量データを転送する。
このデータロガーは、図５に示すように、操作面を覆う防塵用のカバーの下に操作ボタン２１が配置され、取得したデータ等を表示する表示部２２が上方に配置されている。このデータロガー２０は、危険場所で使用されるため、電源に電池を用いている。電池ボックス２３は、データロガー２０の側面に収容されている。電池ボックス２３が配置された側面の反対側の側面には、赤外線通信用の窓２４が設けられており、この窓２４に臨むように赤外線を発光する赤外線ＬＥＤと、赤外線を受光するフォトダイオードとがデータロガー２０に内蔵されている。このように、このデータロガー２０では、外部とのデータの授受が全て赤外線通信手段２４で行われため、火花発生の危険性があるコネクタが存在しない。
【０００３】
図６には、防爆型秤の表示器１０と防爆型データロガー２０との間で、赤外線通信を通じてデータの遣り取りをしている様子を示している。なお、表示器１０には、この位置にデータロガー２０を支持する支持部材（不図示）が設けられている。
また、図７には、データロガー２０に格納された計量データを危険場所の外でＰＣ４０に転送するときの様子を示している。このとき、ＰＣ４０に接続された赤外線変換器４１がデータロガー２０の赤外線通信窓２４に向けて配置される。
【先行技術文献】
【特許文献】
【０００４】
【特許文献１】特開２０１２−１４３０１号公報
【発明の概要】
【発明が解決しようとする課題】
【０００５】
しかし、防爆型秤の計量データをデータロガーで収集する場合は、その計量データを危険場所の外のＰＣ等に送るとき、データロガーを危険場所の外に持ち出さなければならないため、迅速なデータ転送ができないと言う不便がある。
本発明は、こうした事情を考慮して創案したものであり、近距離通信を通じて速やかなデータ転送が可能な近距離通信装置を提供することを目的としている。
【課題を解決するための手段】
【０００６】
本発明は、異種装置間のデータ転送を仲介する近距離通信装置であって、赤外線通信を実行する赤外線通信モジュールと、ブルートゥース(登録商標)仕様で規定された近距離無線通信を実行するブルートゥース通信モジュールと、を有し、赤外線通信機能を有する第１の装置とブルートゥース通信機能を有する第２の装置との間のデータの転送を仲介することを特徴とする。
この近距離通信装置は、危険場所で赤外線通信を通じてデータを取得した場合に、その場所からブルートゥース通信により危険場所の外の装置にデータを送信することができる。
【０００７】
また、本発明の近距離通信装置は、さらに、赤外線通信機能を有する第３の装置と第１の装置との間のデータ転送や、ブルートゥース通信機能を有する第４の装置と第２の装置との間のデータ転送の仲介を行うこともできる。
【０００８】
また、本発明の近距離通信装置は、第１の装置が秤であるとき、秤との赤外線通信時に秤の側面に向き合う第１側面を有しており、赤外線通信時に、秤の側面に設けられた赤外線ＬＥＤ及びフォトダイオードの各々と対向するフォトダイオード及び赤外線ＬＥＤが第１側面に設けられている。
この近距離通信装置は、従来のデータロガーと同じように秤から計量データを取得することができる。
【０００９】
また、本発明の近距離通信装置は、防爆構造を有している。
そのため、危険場所の中で防爆型秤から赤外線通信で計量データを取得し、危険場所の外の機器にブルートゥース通信で送信することができる。
【００１０】
また、本発明の近距離通信装置は、一方の装置から取得したデータを記憶する記憶部を備えることが望ましい。
この近距離通信装置は、危険場所外のデータ転送先の機器が赤外線通信機能しか持たない場合、従来のデータロガーと同じように、危険場所で取得したデータを記憶し、危険場所の外に持ち出されて転送先の機器にデータを転送する。
【００１１】
また、本発明の近距離通信装置では、データを取得する一方の装置からデータのシリアル信号を受信し、データを転送する他方の装置にデータのシリアル信号を送信する。
第１の装置からのデータの取得及び第２の装置へのデータの転送をシリアル方式で行うことによりデータ伝送の遅延が生じ難い。
【発明の効果】
【００１２】
本発明の近距離通信装置は、赤外線通信機能を持つ装置とブルートゥース通信機能を持つ装置との間のデータ転送を仲介することができる。また、赤外線通信機能を持つ装置同士の間データ転送や、ブルートゥース通信機能を持つ装置同士の間のデータ転送を仲介することも可能である。
【図面の簡単な説明】
【００１３】
【図１】本発明の実施形態に係る近距離通信装置を示す斜視図
【図２】図１の近距離通信装置の平面図
【図３】図１の近距離通信装置の側面図
【図４】図１の近距離通信装置の構成を示すブロック図
【図５】従来のデータロガーを示す図
【図６】秤から計量データを収集している従来のデータロガーを示す図
【図７】ＰＣに計量データを送信している従来のデータロガーを示す図
【発明を実施するための形態】
【００１４】
図１は、本発明の実施形態に係る近距離通信装置５０の外形を示している。図２は、その平面図、図３は側面図である。
この装置５０は、図５に示すデータロガー２０と同一の外形を有し、且つ、防爆型構造を有している。前面には、この装置の動作状態を表示する複数のＬＥＤ５２と、この装置の動作を指示するために操作される複数のスイッチ５３が配置され、一方の側面(図３（ｂ）)には、電池ボックス５１が配置され、反対側の側面(図３（ａ）)には、赤外線通信用の窓５４が設けられている。
そのため、この装置は、図６のデータロガー２０と同様に、秤からデータを取得するとき、表示器１０に設けられた支持部材で支持される。
【００１５】
この装置５０は、図４のブロック図に示すように、赤外線通信を実行する赤外線通信モジュール６０と、ブルートゥース通信を実行するブルートゥースモジュール７０と、装置５０の通信を制御するＣＰＵ５７と、取得したデータが格納されるＲＡＭ５６と、ＣＰＵ５７の動作を規定するプログラムが格納されたＲＯＭ５５とを備えている。
赤外線通信モジュール６０は、電気信号を赤外線の光信号に変換して発光する赤外線ＬＥＤ６１と、赤外線の光信号を受光して電気信号に変換するフォトダイオード６２と、電気信号を増幅する増幅部６５と、電気信号を復調する復調部６６と、送信する電気信号を変調する変調部６４と、赤外線ＬＥＤ６１を駆動するＬＥＤ駆動部６３とを備えている。
赤外線ＬＥＤ６１及びフォトダイオード６２は、赤外線通信用の窓５４に臨む位置に配置される。
【００１６】
一方、ブルートゥースモジュール７０は、送信部７２及び受信部７３を有し、ブルートゥース仕様の通信を制御するブルートゥースＩＣ７１と、送信信号を増幅する増幅部７４と、送信／受信を切替える切替器７６と、電波を送信／受信するアンテナ７７と、特定の周波数の受信信号のみを通過させるバンドパスフィルタ７５と、を備えている。
また、ＣＰＵ５７は、ＵＡＲＴ（Universal Asynchronous Receiver Transmitter）の機能を果たし、赤外線通信を通じて調歩同期方式で送られて来たシリアル信号を赤外線通信モジュール６０から受け取り、ＲＡＭ５６に格納する場合は、それをパラレル信号に変換して格納する。また、ＲＡＭ５６に格納されたデータをブルートゥース通信により送信する場合は、パラレル信号をシリアル信号に変換してブルートゥースモジュール７０に送出する。
【００１７】
この近距離通信装置５０が危険場所において赤外線通信機能を有する防爆型の秤から計量データを取得して他の装置に送信する場合は、近距離通信装置５０は、図６のデータロガー２０と同様に、その赤外線通信用の窓５４が秤１０の赤外線通信用窓と向き合うように秤１０の傍に置かれて、計量データが秤１０から近距離通信装置５０に伝送される。
このとき、フォトダイオード６２は、秤１０の赤外線ＬＥＤの光信号を受光して電気信号に変換し、増幅器６５が電気信号を増幅し、復調部６６がその信号を復調する。復調された計量データはＲＡＭ５６に格納される。
【００１８】
ＲＡＭ５６に格納された計量データがブルートゥース通信機能を備える他の装置に転送される場合は、その計量データがブルートゥースＩＣ７１でブルートゥース仕様の送信信号に変換され、増幅部７４で増幅され、切替器７６により送信側に接続されたアンテナ７７から無線送信される。
このとき、この計量データは、近距離通信装置５０とのペアリングに成功した装置であれば、危険場所内の装置でも、危険場所外の装置でも受信することができる。
【００１９】
また、この近距離通信装置５０を危険場所の外に持ち出して、赤外線通信により他の装置（例えばＰＣ）に計量データを送信する場合は、図７のデータロガー２０と同様に、近距離通信装置５０の赤外線通信用の窓５４をＰＣ４０に接続された赤外線変換器４１に向けて配置し、計量データを光信号に変えて送信する。
このとき、赤外線通信モジュール６０の変調部６４は、ＲＡＭ５６から読み出された計量データを変調し、ＬＥＤ駆動部６３が、変調された電気信号に基づいて赤外線ＬＥＤ６１を駆動し、赤外線ＬＥＤ６１から出力される光信号が赤外線変換器４１に入射する。
【００２０】
また、この近距離通信装置５０がペアリングに成功した他の装置からブルートゥース通信によりデータを受信する場合は、アンテナ７７で受信された信号から特定の周波数の信号がバンドパスフィルタ７５で抽出され、ブルートゥースＩＣ７１で復調されてＲＡＭ５６に格納される。
このように、この近距離通信装置５０は、赤外線通信機能を持つ装置とブルートゥース通信機能を持つ装置との間のデータ転送を仲介することができ、また、赤外線通信機能を持つ装置同士の間のデータ転送や、ブルートゥース通信機能を持つ装置同士の間のデータ転送を仲介することもできる。
【産業上の利用可能性】
【００２１】
本発明の近距離通信装置は、装置間でのデータ転送を仲介する装置として広く利用することができる。
【符号の説明】
【００２２】
１０  表示器
２０  データロガー
５０  近距離通信装置
５１  電池ボックス
５２  ＬＥＤ
５３  スイッチ
５４  赤外線通信用窓
５５  ＲＯＭ
５６  ＲＡＭ
５７  ＣＰＵ
６０  赤外線通信モジュール
６１  赤外線ＬＥＤ
６２  フォトダイオード
６３  ＬＥＤ駆動部
６４  変調部
６５  増幅部
６６  復調部
７０  ブルートゥースモジュール
７１  ブルートゥースＩＣ
７２  送信部
７３  受信部
７４  増幅部
７５  バンドパスフィルタ
７６  切替器
７７  アンテナ
【図１】
2017142094.tif 000003
【図２】
2017142094.tif 000004
【図３】
2017142094.tif 000005
【図４】
2017142094.tif 000006
【図５】
2017142094.tif 000007
【図６】
2017142094.tif 000008
【図７】
2017142094.tif 000009